(57)【要約】【課題】使用される水槽を、筐体内に設置する際、水槽を確実に所定の位置に固定することができる空気清浄装置を提供すること。【解決手段】筐体１０には、開閉扉１１とトレイ４０を備える。開閉扉１１は、一方側側面側を回動中心として回動自在に設けられており、この開閉扉１１の内面に水平方向に伸びた補強バー１０１を備えている。トレイ４０の筐体１０における前面側には、下方に開口した取手部１０４を備えている。この取手部１０４と筐体１０の底面１４との間には空間部１０５を備えている。ここで、トレイ４０を所定の位置より筐体１０における前面側に装着した場合に、開閉扉１１を閉めると、補強バー１０１が空間部１０５に入ると共に、トレイ４０を所定の位置まで押し込むことを特徴とする空気清浄装置。【選択図】図１９
2014209043.tif 000002
【特許請求の範囲】
【請求項１】
前面には一方向に回動する開閉扉を備えた筐体と、着脱可能な給水用タンクと、前記給水用タンク内の水が供給されるフィルタ部材と、前記フィルタ部材を駆動する筐体側の駆動部と前記筐体側駆動部に接続され動作するフィルタ側に駆動部を備え、前記給水用タンク内の前記水を前記フィルタ部材に導く供給水路を形成するトレイと、前記供給水路の前記水を電気分解する電極と、前記フィルタ部材と接触する空気流れを形成する風路と、前記風路に空気流れを生じさせる送風機とを筐体内に備えた空気清浄装置であって、前記トレイの裏面には凸状レール部材を形成し、前記筐体の底面には、前記凸状レール部材を摺動可能に保持する凹状ガイダーを形成し、前記開閉扉は、前記筐体における一方側側面側を回動中心として回動自在に設けられ、前記開閉扉の内面に水平方向に伸びた補強バーを備え、前記トレイの前記筐体における前面側には、下方に開口した取手部を備え、この取手部と前記筐体の底面との間には空間部を備え、前記トレイを所定の位置より前記筐体における前面側に装着した場合に、前記開閉扉を閉めると、前記補強バーが前記空間部に入ると共に、前記トレイを所定の位置まで押し込むことを特徴とする空気清浄装置。
【請求項２】
前記トレイの裏面には複数の支持部材を備え、前記支持部材は、前記筐体における一方側側面寄りと他方側側面寄りとに設けられ、前記トレイの裏面の前記凸状レール部材は、前記支持部材の間に位置し、前記補強バーには、前記補強バーから前記筐体における後面側に突出して突起部を備え、この突起部は、前記支持部材の間に位置し、前記トレイの前記凸状レール部材を前記凹状ガイダーに装着し、前記トレイを所定の位置より前記筐体における前面側に装着した場合に、前記開閉扉を閉めると、前記補強バーが、最初に前記筐体における一方側側面寄り前記支持部材を前記筐体における後面方向へ押し込み、次に前記補強バーの前記突起部が前記トレイを所定の位置まで押し込むことを特徴とする請求項１に記載の空気清浄装置。
【請求項３】
前記給水用タンクは、前記トレイにおける前記筐体における一方側側面寄りに位置することを特徴とする請求項２に記載の空気清浄装置。
【請求項４】
前記トレイの前記凸状レール部材と前記筐体の前記凸状レール部材とは、前記筐体における他方側側面よりに位置することを特徴とする請求項２または３に記載の空気清浄装置。
【請求項５】
前記開閉扉と前記筐体の他方側における上部には、前記開閉扉を閉じた場合に、前記筐体に前記開閉扉を固定する上部固定手段を備え、前記開閉扉と前記筐体の他方側における下部には、前記開閉扉を閉じた場合に、前記筐体に前記開閉扉を固定する下部固定手段を設け、前記上部固定手段または前記下部固定手段によって、前記筐体に前記開閉扉が固定されたことを判別する固定判別手段を備え、この固定判別手段は、前記筐体における下部に設けたことを特徴とする請求項１から４のいずれかに記載の空気清浄装置。
【請求項６】
前記固定判別手段は、前記筐体の上下方向における前記下部固定手段と同じ高さに設けたことを特徴とする請求項５に記載の空気清浄装置。
【発明の詳細な説明】
【技術分野】
【０００１】
本発明は、細菌やウィルスなどの浮遊微生物を除去する空気清浄装置に関する。
【背景技術】
【０００２】
水道水を電気分解して電解水を生成し、この電解水を用いて空気中に浮遊するウィルス等の除去を行う空気除菌装置が既に提案されている。
【０００３】
この種の空気除菌装置では、電解水を長時間に亘り循環させると、この電解水に汚れが生じ、この汚れにより電解性能が低下し、除菌性能が低下する。
【０００４】
従って、除菌性能の低下を防止するために、定期的に電解水を排水する構成が考えられている（特許文献１）。
【０００５】
特許文献１は、電解槽と、電解槽によって生成された電解水が供給される気液接触部材と、電解槽によって生成された電解水を貯留すると共に気液接触部材から流下する電解水を受ける水受け皿と、水受け皿に貯留した電解水を汲み上げて再び気液接触部材に供給する循環ポンプと、気液接触部材に室内空気を送る送風ファンを筐体内に備えている。
【０００６】
そして、特許文献１では、筐体の上部の一室に水受け皿に水を供給するための給水タンクを配置し、筐体の正面に給水タンクを取り出し可能な取出扉を設けている。
【先行技術文献】
【特許文献】
【０００７】
【特許文献１】特開２０１２−５２７００号公報
【発明の概要】
【発明が解決しようとする課題】
【０００８】
特許文献１の構成によれば、筐体の上部の一室に水受け皿に水を供給するための給水タンクを配置し、筐体の正面に給水タンクを取り出し可能な取出扉を設けているため、給水タンクとトレイを１つの取出扉から取り出すことができ、給水及び排水作業の手間を省くことができる。
【０００９】
しかし、特許文献１では、給水タンクとトレイを筐体内に設置する際、トレイを確実に所定の位置に固定することができない。また、給水タンクをトレイに固定するとき、給水タンクが筐体やトレイに干渉するときに、トレイが手前にずれ、フィルターが回動しない。
【００１０】
そこで本発明は、トレイの着脱を行う際に、所定の位置からずれることなく、確実に固定できる空気清浄装置を提供することを目的とする。
【課題を解決するための手段】
【００１１】
本発明の空気清浄装置は、前面には一方向に回動する開閉扉を備えた筐体と、着脱可能な給水用タンクと、前記給水用タンク内の水が供給されるフィルタ部材と、前記フィルタ部材を駆動する筐体側の駆動部と前記筐体側駆動部に接続され動作するフィルタ側に駆動部を備え、前記給水用タンク内の前記水を前記フィルタ部材に導く供給水路を形成するトレイと、前記供給水路の前記水を電気分解する電極と、前記フィルタ部材と接触する空気流れを形成する風路と、前記風路に空気流れを生じさせる送風機とを筐体内に備えた空気清浄装置であって、前記トレイの裏面には凸状レール部材を形成し、前記筐体の前記底面には、前記凸状レール部材を摺動可能に保持する凹状ガイダーを形成し、前記開閉扉は、前記筐体における一方側側面側を回動中心として回動自在に設けられ、前記開閉扉の内面に水平方向に伸びた補強バーを備え、前記トレイの前記筐体における前面側には、下方に開口した取手部を備え、この取手部と前記筐体の底面との間には空間部を備え、前記トレイを所定の位置より前記筐体における前面側に装着した場合に、前記開閉扉を閉めると、前記補強バーが前記空間部に入ると共に、前記トレイを所定の位置まで押し込むことを特徴とする空気清浄装置であり、これにより所期の目的を達成するものである。
【発明の効果】
【００１２】
本発明によれば、前面に開閉扉を備えた筐体と、着脱可能な給水用タンクと、前記給水用タンク内の水が供給されるフィルタ部材と、前記給水用タンク内の前記水を前記フィルタ部材に導く供給水路を形成するトレイと、前記供給水路の前記水を電気分解する電極と、前記フィルタ部材と接触する空気流れを形成する風路と、前記風路に空気流れを生じさせる送風機とを筐体内に備えた空気清浄装置であって、前記トレイの裏面には凸状レール部材を形成し、前記筐体の前記底面には、前記凸状レール部材を摺動可能に保持する凹状ガイダーを形成し、前記開閉扉は、前記筐体における一方側側面側を回動中心として回動自在に設けられ、前記開閉扉の内面に水平方向に伸びた補強バーを備え、前記トレイの前記筐体における前面側には、下方に開口した取手部を備え、この取手部と前記筐体の底面との間には空間部を備え、前記トレイを所定の位置より前記筐体における前面側に装着した場合に、前記開閉扉を閉めると、前記補強バーが前記空間部に入ると共に、前記トレイを所定の位置まで押し込むことを特徴とすることにより、すなわち、開閉扉を閉じるとき、開閉扉の補強材がトレイ下部の支持部材を押しながら、トレイを所定の位置に動かし、所定の位置に押し込むことができる。
【図面の簡単な説明】
【００１３】
【図１】本発明の一実施例の空気清浄装置外観斜視図
【図２】同空気清浄装置の開閉扉を開いた状態を示す外観斜視図
【図３】同空気清浄装置の開閉扉上部爪部斜視図
【図４】同空気清浄装置の開閉扉下部爪部斜視図
【図５】同空気清浄装置の筐体側上部爪部斜視図
【図６】同空気清浄装置の筐体側下部爪部斜視図
【図７】図２の状態から給水用タンクと排水用タンクとを取り外した状態を示し、電極ユニットが第１の動作状態であることを示す外観斜視図
【図８】図２の状態から給水用タンクと排水用タンクとを取り外した状態を示し、電極ユニットが第２の動作状態であることを示す外観斜視図
【図９】図４の状態からトレイを取り外した状態を示し、電極ユニットが第２の動作状態であることを示す外観斜視図
【図１０】図４の状態から給水用タンクと排水用タンクとを取り外した状態を示し、電極ユニットが第１の動作状態であることを示す外観斜視図
【図１１】本実施例に用いる、給水用タンク、フィルタ部材、及び排水用タンクをトレイに載置した状態を示す斜視図
【図１２】同トレイの上面図
【図１３】給水用タンクの斜視図
【図１４】仕切り板の正面図
【図１５】本実施例に用いるトレイの上面側斜視図
【図１６】同トレイの裏面側斜視図
【図１７】同トレイの正面図
【図１８】本実施例による空気清浄装置の電極ユニットを示す要部斜視図
【図１９】空気清浄装置の上面からの断面図
【図２０】空気清浄装置の側断面図
【図２１】空間清浄装置のフィルター駆動機構部側断面図
【図２２】空間清浄装置のフィルター駆動機構部側断面図
【図２３】空間清浄装置の開閉扉補強バーとトレイ部上からの断面図
【図２４】空間清浄装置の開閉扉補強バーと固定判別手段用開閉器部の断面図
【発明を実施するための形態】
【００１４】
以下に、本発明の一実施例による空気清浄装置について説明する。
【００１５】
図１は本実施例の空気清浄装置の外観斜視図、図２は同空気清浄装置の開閉扉を開いた状態を示す外観斜視図、図３は図２の状態から給水用タンクと排水用タンクとを取り外した状態を示し、電極ユニットが第１の動作状態であることを示す外観斜視図、図４は図２の状態から給水用タンクと排水用タンクとを取り外した状態を示し、電極ユニットが第２の動作状態であることを示す外観斜視図、図５は図４の状態からトレイを取り外した状態を示し、電極ユニットが第２の動作状態であることを示す外観斜視図、図６は図４の状態から給水用タンクと排水用タンクとを取り外した状態を示し、電極ユニットが第１の動作状態であることを示す外観斜視図である。
【００１６】
図１に示すように、本実施例による空気清浄装置は、筐体１０の前面には開閉扉１１を、両側面には吸入口１２を、天面には吹出口１３を有する。
【００１７】
図２に示すように、開閉扉１１を開くと、筐体１０内には給水用タンク２０と排水用タンク３０とがトレイ４０に着脱可能に載置されている。給水用タンク２０と排水用タンク３０とは、開閉扉１１に対向する位置に並設されている。
【００１８】
給水用タンク２０と排水用タンク３０とは、トレイ４０を引き出すことなく開閉扉１１を開いた状態でトレイ４０から取り外すことができる。
【００１９】
図３は、給水用タンク２０と排水用タンク３０とをトレイ４０から取り外した状態を示している。
【００２０】
図３に示す状態では、電極ユニット５０は第１の動作状態にある。第１の動作状態では、電極ユニット５０は、筐体１０の底面１４に近接した位置で保持され、トレイ４０内の水中に配置されている。電極ユニット５０が第１の動作状態にある場合にはトレイ４０を筐体１０から引き出すことはできない。
【００２１】
図４に示す状態では、電極ユニット５０は第２の動作状態にある。第２の動作状態では、電極ユニット５０は、筐体の底面１４から離間した位置で保持され、トレイ４０から更に上方に引き上げられている。電極ユニット５０の引き上げは、図３及び図４に示すレバー５１によって使用者が操作する。
【００２２】
図４に示すように、電極ユニット５０を第２の動作状態としたときには、電極ユニット５０は、仕切り板４１に当接しないため、図５に示すようにトレイ４０を筐体１０内から取り出すことができる。
【００２３】
図６では、トレイ４０を取り出した状態で、レバー５１の操作により、電極ユニット５０を再び第１の動作状態に移動させている。
【００２４】
給水用タンク２０への給水と排水用タンク３０からの排水作業、更にはトレイ４０の清掃作業は、図１から図５に示す順番で、給水用タンク２０、排水用タンク３０、トレイ４０を取り外し、給水、排水、清掃後に、図５から図１に示す順番で装着を行うことで完了する。
【００２５】
図２から図６に示すように、開閉扉１１の内面にはボトル１５が着脱可能に取り付けられている。ボトル１５には、タブレット状の食塩が入っており、給水用タンク２０及び排水用タンク３０の装着時に、トレイ４０中に必要量の食塩を投入することで水の塩素濃度を高める。
【００２６】
図５及び図６に示すように、筐体１０の底面１４には、底上げ部１９が形成され、底上げ部１９の上面には凹状ガイダー１６を形成している。また、筐体１０の底面１４には、ポンプ駆動部１７を設けている。
【００２７】
図７は、本実施例に用いる、給水用タンク、フィルタ部材、及び排水用タンクをトレイに載置した状態を示す斜視図、図８は同トレイの上面図、図９は給水用タンクの斜視図、図１０は仕切り板の正面図である。
【００２８】
図７及び図８に示すように、トレイ４０には、給水用タンク２０、フィルタ部材６０、及び排水用タンク３０が載置されている。またトレイ４０には仕切り板４１が設けられている。フィルタ部材６０及び仕切り板４１はトレイ４０に対し着脱可能に設けられている。
【００２９】
トレイ４０の上面は、仕切り板４１によって第１の領域と第２の領域に仕切られている。第１の領域には、給水用タンク２０と排水用タンク３０が配置され、第２の領域には、フィルタ部材６０が配置されている。電極ユニット５０は第１の領域に配置している。
【００３０】
排水用タンク３０には、上部に取っ手３１が形成され、上面は開閉蓋３２となっている。この開閉蓋３２には接続口３３が設けられている。
【００３１】
図８、図１７、１８に示すように、フィルタ部材６０は、吸水性繊維素材を円筒状部材外周面に設け、フィルタ部材６０端部に設けられた駆動機構６１が、筐体１０内に設けられた回動機構１００と歯車が噛み合わさり回動する。駆動機構６１は、筐体１０における左側に位置するものである。
【００３２】
そしてフィルタ部材６０は、通過する空気を電解水に接触させて空気を除菌する気液接触機能を果たす。
【００３３】
図９に示すように、給水用タンク２０は、上部及び一方の側部に取っ手２１が形成され、下部に蓋２２を有する。この蓋２２を取り外して水道水を注入する。蓋２２には押圧によって開となるピンを備え、トレイ４０上に載置されると、ピンが押されて内部の水が滴下される。
【００３４】
図１０に示すように、仕切り板４１には、トレイ４０に残留するスケールを含む汚水を汲み上げるポンプ７０と、このポンプ７０で汲み上げた汚水を排水用タンク３０に導くホース７１を設けている。
【００３５】
ポンプ７０は、図５及び図６で示すポンプ駆動部１７によって動作する。ポンプ駆動部１７は磁気結合によってポンプ７０を駆動する。
【００３６】
ポンプ７０で汲み上げた汚水は、ホース７１から接続口３３を通り排水用タンク３０内に導かれる。
【００３７】
排水用タンク３０内には、例えばフロートスイッチからなる排水検知手段が設けられ、所定の汚水量になるとポンプ駆動部１７の動作を停止する。
【００３８】
図１１は本実施例に用いるトレイの上面側斜視図、図１２は同トレイの裏面側斜視図、図１３は同トレイの正面図である。
【００３９】
供給水路４２は、給水用タンク２０の下方に位置する第１の供給水路４２ａと、フィルタ部材６０の下方に位置する第２の供給水路４２ｂと、第２の供給水路４２ｂの出口側につながる貯留部４２ｃと、第１の供給水路４２ａの出口側につながり第２の供給水路４２ｂの入口側につながる電極用水路４２ｄとから構成されている。電極ユニット５０は電極用水路４２ｄに配置される。ポンプ７０は、貯留部４２ｃから汚水を汲み上げる。
【００４０】
給水は、第１の供給水路４２ａ、電極用水路４２ｄ、及び第２の供給水路４２ｂを順次通過した後に貯留部４２ｃに導かれるため、汚水は新鮮な水に押されながら貯留部４２ｃに移動し、トレイ４０の供給水路４２に残留している汚水を確実に排水用タンク３０に回収することができる。
【００４１】
貯留部４２ｃの底面は、供給水路４２の中で最も低く形成している。貯留部４２ｃの底面を低くすることで、スケールなどの比重の大きな成分を貯留部４２ｃに溜めやすくし、トレイ４０の供給水路４２への残留を少なくして排水用タンク３０での確実な回収を行うことができる。
【００４２】
トレイ４０の裏面には凸状レール部材４３を形成している。この凸状レール部材４３は、図５及び図６で示す筐体１０の底面１４の凹状ガイダー１６に摺動可能に保持され、電極ユニット５０が第２の動作状態では、凸状レール部材４３を凹状ガイダー１６に対して摺動させることでトレイ４０の脱着を行える。
【００４３】
図１４は本実施例による空気清浄装置の電極ユニットを示す要部斜視図である。
【００４４】
電極ユニット５０は、筐体１０の底面１４に対して近接離間可能に設けてあり、近接離間動作はレバー５１によって行うことができる。図１４では、電極ユニット５０が、筐体１０の底面１４に近接した位置で保持される第１の動作状態を示している。
【００４５】
電極ユニット５０は、内部に電極を有し、これら電極間に電圧を印加することにより、水を電解して電解水を生成する。塩化物イオンを含む水が電解されることで、次亜塩素酸を含む電解水が生成される。次亜塩素酸は活性酸素種に含まれ、強力な酸化作用や漂白作用を有する。次亜塩素酸が溶解した水溶液、すなわち生成される電解水は、ウィルス等の不活化、殺菌、有機化合物の分解等、種々の空気清浄効果を発揮する。
【００４６】
筐体１０の底面１４には、電極ユニット５０から滴下する水を受ける電極用トレイ４４を設けている。電極用トレイ４４は底面１４の凹部に配置され、トレイ４０の装着時には、電極用トレイ４４はトレイ４０で覆われる。電極ユニット５０の下方に電極用トレイ４４を設けることで、トレイ４０を取り外した状態で、電極ユニット５０から滴下する水で筐体１０の底面１４を濡らすことがなく、トレイ４０を装着した状態ではトレイ４０によって覆われ、トレイ４０の装着時には電極用トレイ４４を取り外す必要が無いため、使用者の作業負担を軽減できる。
【００４７】
図１４を用いて電極ユニット５０の取り外し動作について説明する。
【００４８】
図１４（ａ）は、電極ユニット５０を引き下ろした状態であり、電極ユニット５０の上部は蓋体５２で覆われている。蓋体５２を取り外した状態を図１４（ｂ）に示す。電極ユニット５０は、一対の係合爪５３によって保持枠５４に着脱される。電極ユニット５０にはユニット側コネクター５５ａが、保持枠５４には本体側コネクター５５ｂが設けられている。ユニット側コネクター５５ａ及び本体側コネクター５５ｂにはそれぞれ配線コードが接続されているが、配線コードについては図示を省略する。蓋体５２は、電極ユニット５０の動作時に、この配線コードが絡まないために設けている。
【００４９】
ユニット側コネクター５５ａと本体側コネクター５５ｂとを外した後に、図１４（ｃ）に示すように、一対の係合爪５３を保持枠５４から取り外して、電極ユニット５０の交換を行う。
【００５０】
新たな電極ユニット５０の装着は、図１４（ｃ）、（ｂ）、（ａ）の順で行う。
【００５１】
図１５は本実施例による空気清浄装置の側断面図、図１６は同空気清浄装置の側断面斜視図である。
【００５２】
筐体１０の両側面に設けた吸入口１２から筐体１０内に吸入された空気は、筐体１０の後面１８側から下方に引っ張られ、フィルタ部材６０と風路板８１の下端との隙間を通過し、風路板８１によって形成された風路８０内を上昇する。風路８０に空気流れを生じさせる送風機８２が筐体１０内の上方に配置され、送風機８２によって空気は吹出口１３から吹き出される。
【００５３】
以上のように本実施例による空気清浄装置によれば、トレイ４０の装着後には電極ユニットを第１の動作状態とすることで供給水路４２内に電極を位置させて電解水を生成させ、トレイ４０の着脱動作時には電極ユニットを第２の動作状態とすることで、トレイ４０の着脱動作をスムーズに行うことができる。
【００５４】
また本実施例による空気清浄装置によれば、凸状レール部材４３と凹状ガイダー１６とでトレイ４０をスライドさせて着脱できるとともに、供給水路４２内に電極を位置させた状態ではトレイ４０の着脱を防止することができる。
【００５５】
また本実施例による空気清浄装置によれば、給水用タンク２０、フィルタ部材６０、及び排水用タンク３０をトレイ４０に着脱可能に載置し、第２の動作状態で、給水用タンク２０、フィルタ部材６０、排水用タンク３０、及びトレイ４０を取り外し、給水用タンク２０、フィルタ部材６０、排水用タンク３０、及びトレイ４０を取り外した後に、第１の動作状態として、電極ユニット５０の着脱を行えるものである。また、頻繁に行う必要がある、給水、排水、及びフィルタ部材６０やトレイ４０の掃除を容易に行えるとともに、電極ユニット５０の着脱も使用者が容易に行うことができる。
【００５６】
また本実施例による空気清浄装置によれば、電極ユニット５０を風路８０と仕切られた第１の領域に配置することで、電気分解時に発生する酸化ガスが風路８０に流れ込み、送風機８２などに用いられている材料を劣化させることを防止することができる。
【００５７】
また本実施例による空気清浄装置によれば、底上げ部１９の高さだけ凸状レール部材４３の突出量を少なくすることができ、凸状レール部材４３の破損を防止することができる。
【００５８】
以上の説明で、基本的な構造が理解されたところで、以下、本実施形態における最も大きな特徴点について説明する。
【００５９】
本実施形態における最も大きな特徴は、図２に示す開閉扉１１とトレイ４０の構造にある。具体的には、開閉扉１１は、筐体１０における一方側側面側を回動中心として回動自在に設けられている。この開閉扉１１の内面に水平方向に伸びた補強バー１０１を備えている。トレイ４０の筐体１０における前面側には、下方に開口した取手部１０４を備えている。この取手部１０４と筐体１０の底面１４との間には空間部１０５を備えている。ここで、トレイ４０を所定の位置より筐体１０における前面側に装着した場合に、開閉扉１１を閉めると、補強バー１０１が空間部１０５に入ると共に、トレイ４０を所定の位置まで押し込むものである。
【００６０】
これにより、トレイ４０が所定の位置におさまることが可能となる。
【００６１】
また、トレイ４０を所定の位置より筐体１０における前面側に装着した場合に、開閉扉１１を閉めると、補強バー１０１が空間部１０５に入るので、補強バー１０１が筐体１０におさまる空間を新たに設ける必要が無く、筐体１０をコンパクトにできる。
【００６２】
また、図２に示すように、トレイ４０の裏面には複数の支持部材１０３を備えている。支持部材１０３は、筐体１０における一方側側面寄りと他方側側面寄りとに設けられている。
【００６３】
トレイ４０の裏面の図１２に示す凸状レール部材４３は、支持部材１０３の間に位置しており、補強バー１０１には、補強バー１０１から前記筐体１０における後面側に突出して突起部１０２を備えている。
【００６４】
この図２、図１７、１８に示す突起部１０２は、支持部材１０３の間に位置しており、トレイ４０の凸状レール部材４３を凹状ガイダー１６に装着し、トレイ４０を所定の位置より筐体１０における前面側に装着した場合に、開閉扉１１を閉めると、補強バー１０１が、最初に筐体１０における一方側側面寄り支持部材１０３を筐体１０における後面方向へ押し込み、次に補強バー１０１の突起部１０２がトレイ４０を所定の位置まで押し込むものである。
【００６５】
すなわち、凸状レール部材４３と凹状ガイダー１６との間には、遊びであるクリアランスがあるので、最初に、補強バー１０１が、一方側側面寄りの支持部材１０３を押すことによって、トレイ４０の一方側を移動させ、次に、補強バー１０１の突起部１０２によって、トレイ４０の他方側を移動させる。つまり、トレイ４０を全体を一度に移動させるのではなく、一方側と他方側とを順次移動させるので、トレイ４０を移動させる力である開閉扉１１を閉める力を低減できる。
【００６６】
また、これにより、給水用タンク２０をトレイ４０に取り付ける際に、トレイ４０がずれても、補強バー１０１の突起部１０２が、トレイ４０を所定の位置に押し込むため、筐体１０内に設けられた回動機構１００に図８に示すフィルタ部材６０の端部に設けられた駆動機構６１が確実に噛み合わさり、フィルタ部材６０が回転動作することが確実に可能となる。
【００６７】
また、図２に示す給水用タンク２０は、トレイ４０、筐体１０において、一方側側面、つまり開閉扉１１軸側に位置する。
【００６８】
これにより、開閉扉１１の回転の中心から、手前側に位置するトレイ４０の支持部材１０３には、開閉扉１１の補強バー１０１が、図２、図１８に示す軸１０６を中心にした最小半径で、最初にトレイ４０の下方の軸１０６側、つまり一方側側面寄りの支持部材１０３を押し込むことが容易に可能となる。
【００６９】
この点について詳しく説明すると、開閉扉１１を閉める場合には、開閉扉１１の他方側を押して、開閉扉１１を閉める。開閉扉１１の回転の中心から補強バー１０１の突起部１０２までの距離は、開閉扉１１の回転の中心から開閉扉１１を押す位置、つまり他方側までの距離より短いので、開閉扉１１を押す力より、大きな力で、補強バー１０１の突起部１０２は、トレイ４０を押すことが出来る。また、開閉扉１１の回転の中心から一方側側面寄りの支持部材１０３までの距離は、開閉扉１１の回転の中心から補強バー１０１の突起部１０２までの距離より、更に短いので、開閉扉１１を押す力より、更に大きな力で、補強バー１０１は、一方側側面寄りの支持部材１０３を押すことが出来る。ここで、水の入った給水用タンク２０は、一方側側面寄りに位置するので、給水用タンク２０が他方側側面寄りに位置する場合に比べ、開閉扉１１を押す力を小さくできる。
【００７０】
また、図６、図１２に示すトレイ４０の凸状レール部材４３と筐体１０の凸状レール部材４３とは、筐体１０における他方側側面より、つまり開閉扉１１軸側とは反対側に位置する。
【００７１】
これにより。開閉扉１１軸の中心から、手前側に位置するトレイ４０の支持部材１０３とは対称に位置する支持部材１０３には、開閉扉１１の補強バー１０１がトレイ４０を押し込むときに、トレイ４０の凸状レール部材４３は、筐体１０の凸状レール部材４３に沿って、所定の位置にトレイ４０が押し込まれることが可能となる。
【００７２】
また、トレイ４０の凸状レール部材４３と筐体１０の凹状ガイダー１６が、筐体１０における一方側側面寄りに位置する場合に比べ、筐体１０における他方側側面寄りに位置する場合は、一方側側面寄りの支持部材１０３と、トレイ４０の凸状レール部材４３および筐体１０の凹状ガイダー１６との距離が長くなる。最初に、補強バー１０１が、一方側側面寄りの支持部材１０３を押すことによって、トレイ４０の一方側を移動させる場合には、トレイ４０の凸状レール部材４３と筐体１０の凹状ガイダー１６とが回転中心となり回動する。すなわち、トレイ４０の凸状レール部材４３と筐体１０の凹状ガイダー１６が、筐体１０における一方側側面寄りに位置する場合に比べ、筐体１０における他方側側面寄りに位置する場合は、この回動時の回動半径が大きくなり、更に開閉扉１１を押す力を小さくできる。
【００７３】
また、開閉扉１１と筐体１０の他方側における上部には、開閉扉１１を閉じた場合に、筐体１０に開閉扉１１を固定する上部固定手段９０を備えている。同様に、開閉扉１１と筐体１０の他方側における下部には、開閉扉１１を閉じた場合に、筐体１０に開閉扉１１を固定する下部固定手段９１を設けている。なお、開閉扉１１は樹脂で形成している。
【００７４】
上部固定手段９０は、開閉扉１１に設けた上部開閉扉側係止部９２と、筐体１０に設けた上部筐体側係止部９３と、上部付勢手段９４と、上部付勢解除手段９５とからなる。
【００７５】
上部開閉扉側係止部９２は、開閉扉１１の内側で、他方側における上部、つまり筐体１０の前面から見て右側上部に位置するものである。上部開閉扉側係止部９２は、開閉扉１１の内側から筐体１０の方向へ伸びている。上部開閉扉側係止部９２の先端には、筐体１０の内方、つまり筐体１０の前面から見て右側から左側へ伸びた上部開閉扉側爪部分９６を備えている。
【００７６】
上部筐体側係止部９３は、筐体１０の前面側で、他方側における上部、つまり筐体１０の前面から見て右側上部に設けられ、筐体１０から開閉扉１１の方向へ伸びている。上部筐体側係止部９３は、筐体１０に回動自在に装着され、上部筐体側係止部９３の先端が、筐体１０における左右方向に移動可能である。上部筐体側係止部９３の先端には、筐体１０の外方、つまり筐体１０の前面から見て左側から右側へ伸びた上部筐体側爪部分９７を備えている。
【００７７】
下部固定手段９１は、開閉扉１１に設けた下部開閉扉側係止部９８と、筐体１０に設けた下部筐体側係止部９９と、下部付勢手段８９とからなる。
【００７８】
下部開閉扉側係止部９８は、開閉扉１１の内側で、他方側における下部、つまり筐体１０の前面から見て右側下部に位置するものである。下部開閉扉側係止部９８は、開閉扉１１の内側から筐体１０の方向へ伸びている。下部開閉扉側係止部９８の先端には、筐体１０の内方、つまり筐体１０の前面から見て左側から右側へ伸びた下部開閉扉側爪部分１０７を備えている。
【００７９】
下部筐体側係止部９９は、筐体１０の前面側で、他方側における下部、つまり筐体１０の前面から見て右側下部に設けられ、筐体１０から開閉扉１１の方向へ伸びている。下部筐体側係止部９９は、筐体１０に回動自在に装着され、下部筐体側係止部９９の先端が、筐体１０における左右方向に移動可能である。下部筐体側係止部９９の先端には、筐体１０の外方、つまり筐体１０の前面から見て左側から右側へ伸びた下部筐体側爪部分１０８を備えている。
【００８０】
上部付勢手段９４は、上部筐体側係止部９３と下部筐体側係止部９９の先端を一方側、つまり筐体１０の前面から見て左側へ付勢する。上部付勢手段９４の一例は、ばねである。
【００８１】
上部付勢解除手段９５は、上部筐体側係止部９３の他方側で、筐体１０における側面側に位置している。この上部付勢解除手段９５を一方側、つまり筐体１０の前面から見て左側へ押すと、上部筐体側係止部９３と下部筐体側係止部９９の先端を他方側、つまり筐体１０の前面から見て左側へ移動する。
【００８２】
開閉扉１１を閉める方向へ回動させると、最初に、上部開閉扉側係止部９２は、上部筐体側係止部９３に接触する。更に、開閉扉１１を閉める方向へ回動させると、上部開閉扉側係止部９２は、上部筐体側係止部９３に接触しながら、上部筐体側係止部９３の先端を他方側、つまり筐体１０の前面から見て左側へ押し広げる。そして、開閉扉１１が、完全に閉まるまで回動させると、上部筐体側係止部９３の先端は、上部付勢手段９４によって一方側、つまり筐体１０の前面から見て右側へ戻る。これにより、上部筐体側係止部９３の上部筐体側爪部分９７が、上部開閉扉側係止部９２の上部開閉扉側爪部分９６に引っ掛かる。
【００８３】
同様に、開閉扉１１を閉める方向へ回動させると、最初に、下部開閉扉側係止部９８は、下部筐体側係止部９９に接触する。更に、開閉扉１１を閉める方向へ回動させると、下部開閉扉側係止部９８は、下部筐体側係止部９９に接触しながら、下部筐体側係止部９９の先端を他方側、つまり筐体１０の前面から見て左側へ押し広げる。そして、開閉扉１１が、完全に閉まるまで回動させると、下部筐体側係止部９９の先端は、上部付勢手段９４によって一方側、つまり筐体１０の前面から見て右側へ戻る。これにより、下部筐体側係止部９９の下部筐体側爪部分１０８が、下部開閉扉側係止部９８の下部開閉扉側爪部分１０７に引っ掛かる。
【００８４】
この状態で、上部付勢解除手段９５を一方側、つまり筐体１０の前面から見て左側へ押すと、上部筐体側係止部９３と下部筐体側係止部９９の先端を他方側、つまり筐体１０の前面から見て左側へ移動し、上部筐体側係止部９３の上部筐体側爪部分９７が、上部開閉扉側係止部９２の上部開閉扉側爪部分９６から外れ、同時に、下部筐体側係止部９９の下部筐体側爪部分１０８が、下部開閉扉側係止部９８の下部開閉扉側爪部分１０７から外れる。
【００８５】
上部固定手段９０または下部固定手段９１によって、筐体１０に開閉扉１１が固定されたことを判別する固定判別手段８６を備えている。
【００８６】
固定判別手段８６は、固定判別手段用突起部８７と固定判別手段用開閉器１０９とからなる。
【００８７】
固定判別手段用突起部８７は、開閉扉１１の内側に備えた補強バー１０１の下部に設けている。この固定判別手段用突起部８７は、開閉扉１１の内側から筐体１０へ伸びている。筐体１０の下部の底面１４とトレイ４０の間には、略は固形状のケース８８を設けている。このケース８８の開閉扉１１の側面には、開口部１１０を有し、ケース８８中には、固定判別手段用開閉器１０９を備えている。
【００８８】
開閉扉１１を閉じると、固定判別手段用突起部８７がケース８８の開口部１１０を通り、ケース８８内の固定判別手段用開閉器１０９が閉じられることにより、空気清浄装置を動作することが可能となる。
【００８９】
また、開閉扉１１を開いたとき、ケース８８内の固定判別手段用開閉器１０９から固定判別手段用突起部８７が離れ、固定判別手段用開閉器１０９が開くことにより、空気清浄装置の動作を停止することが可能となる。
【００９０】
ここで、開閉扉１１の上部を手で押して、開閉扉１１を閉じたとき、開閉扉１１が変形し、上部固定手段９０のみ固定される場合がある。この場合にも、固定判別手段８６は、筐体１０における下部に設けたので、下部固定手段９１が、固定されていない場合に、ケース８８内の固定判別手段用開閉器１０９と固定判別手段用突起部８７とが離れ、固定判別手段用開閉器１０９が開いていることにより、空気清浄装置が動作しないものである。これにより、使用者は、開閉扉１１が完全に閉じていないことに、気づくことができるものである。
【００９１】
固定判別手段８６は、筐体１０の上下方向における下部固定手段９１と同じ高さに設けたものである。また、補強バー１０１に設けられた固定判別手段用突起部８７は、他の部品に干渉することなく上下方向に配置することができる。これにより、開閉扉１１の内側の上下に設けた補強バー１０１を共用することが可能となる。
【産業上の利用可能性】
【００９２】
本発明は、空間に浮遊する微生物を除去する空気清浄装置であるが、浮遊微生物除去機能を有する加湿器としても適している。
【符号の説明】
【００９３】
１０    筐体
１１    開閉扉
１２    吸入口
１３    吹出口
１４    底面
１５    ボトル
１６    凹状ガイダー
１７    ポンプ駆動部
１８    後面
１９    底上げ部
２０    給水用タンク
２１    取っ手
２２    蓋
３０    排水用タンク
３１    取っ手
３２    開閉蓋
３３    接続口
４０    トレイ
４１    仕切り板
４２    供給水路
４２ａ  第１の供給水路
４２ｂ  第２の供給水路
４２ｃ  貯留部
４２ｄ  電極用水路
４３    凸状レール部材
４４    電極用トレイ
５０    電極ユニット
５１    レバー
５２    蓋体
５３    係合爪
５４    保持枠
５５ａ  ユニット側コネクター
５５ｂ  本体側コネクター
６０    フィルタ部材
６１    駆動機構
７０    ポンプ
７１    ホース
８０    風路
８１    風路板
８２    送風機
８６    固定判別手段
８７    固定判別手段用突起部
８８    ケース
９０    上部固定手段
９１    下部固定手段
９２    上部開閉扉側係止部
９３    上部筐体側係止部
９４    上部付勢手段
９５    上部付勢解除手段
９６    上部開閉扉側爪部分
９７    上部筐体側爪部分
９８    下部開閉扉側係止部
９９    下部筐体側係止部
１００  回動機構
１０１  補強バー
１０２  突起部
１０３  支持部材
１０４  取手部
１０５  空間部
１０６  軸
１０７  下部開閉扉側爪部分
１０８  下部筐体側爪部分
１０９  固定判別手段用開閉器
１１０  開口部
【図１】
2014209043.tif 000003
【図２】
2014209043.tif 000004
【図３】
2014209043.tif 000005
【図４】
2014209043.tif 000006
【図５】
2014209043.tif 000007
【図６】
2014209043.tif 000008
【図７】
2014209043.tif 000009
【図８】
2014209043.tif 000010
【図９】
2014209043.tif 000011
【図１０】
2014209043.tif 000012
【図１１】
2014209043.tif 000013
【図１２】
2014209043.tif 000014
【図１３】
2014209043.tif 000015
【図１４】
2014209043.tif 000016
【図１５】
2014209043.tif 000017
【図１６】
2014209043.tif 000018
【図１７】
2014209043.tif 000019
【図１８】
2014209043.tif 000020
【図１９】
2014209043.tif 000021
【図２０】
2014209043.tif 000022
【図２１】
2014209043.tif 000023
【図２２】
2014209043.tif 000024
【図２３】
2014209043.tif 000025
【図２４】
2014209043.tif 000026